(57)【要約】【課題】  新たな部材の追加によって、釣り糸が鍔部をすり抜ける虞を抑制できる釣り竿の竿先構造を提供する点にある。【解決手段】  釣り糸連結部材１に、釣り糸ａを連結する糸取付軸部１Ａと、糸取付軸部１Ａの竿先側に糸取付軸部１Ａより大径の鍔部１Ｂと、穂先竿３に保持される基端部１Ｃとを形成する。糸取付軸部１Ａに取り付けた釣り糸ａが解けるのを抑制すべく糸取付軸部１Ａを覆うリング体５Ａを配置してある。【選択図】        図１
2008178311.tif 000002
【特許請求の範囲】
【請求項１】
釣り糸連結部材をその釣り糸連結部材自身の軸芯回りで回動可能に穂先竿に取り付けてある釣り竿の竿先構造であって、
前記釣り糸連結部材に、釣り糸を連結する糸取付軸部と、前記糸取付軸部の竿先側に前記糸取付軸部より大径の鍔部と、前記穂先竿に保持される基端部とを形成し、前記糸取付軸部に取り付けた釣り糸が解けるのを抑制すべく前記糸取付軸部を覆う被覆体を配置してある釣り竿の竿先構造。
【請求項２】
前記被覆体の周方向の一部に前記糸取付軸部に取り付けた釣り糸を前記被覆体の外部に誘導する導出部を形成してある請求項１記載の釣り竿の竿先構造。
【請求項３】
前記被覆体が前記糸取付軸部に取り付けた釣り糸を覆うリング体である請求項１または２記載の釣り竿の竿先構造。
【請求項４】
前記被覆体が釣り糸を取り付けた前記糸取付軸部を覆う筒状体である請求項１または２記載の釣り竿の竿先構造。
【発明の詳細な説明】
【技術分野】
【０００１】
本発明は、釣り糸連結部材をその釣り糸連結部材自身の軸芯回りで回動可能に穂先竿に取り付けてある釣り竿の竿先構造に関する。
【背景技術】
【０００２】
上記した釣り糸連結部材は、釣り糸が連結される糸取付軸部としての糸付部と、糸付部からの糸抜けを防止する鍔部としての抜止部と、穂先竿に連結される基端部としての連結部とで構成してある（非特許文献１参照）。
【０００３】
【非特許文献１】特願２００６−１１７１４７号（段落番号〔００２５〕、図１〜図３）
【発明の開示】
【発明が解決しようとする課題】
【０００４】
上記構成においては、糸取付軸部より大径の鍔部を竿先側に配置して、糸取付軸部に結び付けられた釣り糸が竿先側に抜け出すことを阻止する構成を採ってはいる。
しかし、釣り糸が強く引張られる事態になると、糸取付軸部が鍔部とともに下向き姿勢に変化し、釣り糸が鍔部をすり抜ける虞があった。特に、糸連結部材を金属等の表面が円滑なもので構成した場合には顕著であった。
【０００５】
本発明の目的は、新たな部材の追加によって、釣り糸が鍔部をすり抜ける虞を抑制できる釣り竿の竿先構造を提供する点にある。
【課題を解決するための手段】
【０００６】
〔構成〕
請求項１に係る発明の特徴構成は、前記釣り糸連結部材に、釣り糸を連結する糸取付軸部と、前記糸取付軸部の竿先側に前記糸取付軸部より大径の鍔部と、前記穂先竿に保持される基端部とを形成し、前記糸取付軸部に取り付けた釣り糸が解けるのを抑制すべく前記糸取付軸部を覆う被覆体を配置してある点にあり、その作用効果は次の通りである。
【０００７】
〔作用〕
つまり、糸取付軸部に取り付けてある釣り糸が鍔部に向けて移動し抜け出ようとした場合であっても、その糸取付軸部を覆っている被覆体が釣り糸に接触作用して、釣り糸が抜け出ることを阻止する。
【０００８】
〔効果〕
被覆体を設けるだけの部材の追加と、その被覆体によって釣り糸が取付られている糸取付軸部を覆うという機能の追加とによって、釣り糸の抜け出しを効果的に抑制することができ、釣り糸が糸取付軸部より外れることによって発生するところの、釣上げた魚の取り込みミス等を未然に回避できるに至った。
【０００９】
請求項２に係る発明の特徴構成は、請求項１記載の穂先竿において、前記被覆体の周方向の一部に前記糸取付軸部に取り付けた釣り糸を前記被覆体の外部に誘導する導出部を形成してある点にあり、その作用効果は次の通りである。
【００１０】
〔作用効果〕
導出部を設けることによって釣り糸の取り出しが容易になる。
一方、その導出部の形成位置を円周方向における一部分に限ることによって、糸取付軸部を広く覆うことができる。
【００１１】
請求項３に係る発明の特徴構成は、請求項１または２において、前記被覆体が前記糸取付軸部に取り付けた釣り糸を覆うリング体である点にあり、その作用効果は次の通りである。
【００１２】
〔作用効果〕
つまり、被覆体をリング体で構成することによって、釣り糸を取り付ける糸取付軸部を挟む鍔部と穂先竿の竿先端との間の空間内にリング体を位置させることができ、直接、糸取付軸部に取付られた釣り糸に接触作用させることもできて、釣り糸が鍔部より抜け出すことを抑制する。
【００１３】
請求項４に係る発明の特徴構成は、請求項１または２において、前記被覆体が釣り糸を取り付けた前記糸取付軸部を覆う筒状体である点にあり、その作用効果は次の通りである。
【００１４】
〔作用効果〕
つまり、糸取付軸部を筒状体で覆うことができるので、直接、糸取付軸部に取付られた釣り糸に接触作用させることなく、釣り糸が鍔部より抜け出す際に接触作用して抜け出すことを抑制することができる。これによって、釣り糸が糸取付軸部に対して相対回転する状態を許容でき、魚に引張られる釣り糸の姿勢変化の自由度を確保し、釣り糸に無理な負担をかけない。
【発明を実施するための最良の形態】
【００１５】
〔第１実施形態〕
穂先竿３の竿先端構造について説明する。図１に示すように、釣り糸連結部材１をその釣り糸連結部材自身の軸芯Ｘ回りで回動可能に保持する穂先ホルダー２を穂先竿３に取り付けてある。
【００１６】
釣り糸連結部材１について説明する。図１に示すように、釣り糸連結部材１は、釣り糸ａを連結する小径の糸取付軸部１Ａと、糸取付軸部１Ａの竿先側にその糸取付軸部１Ａより大径の鍔部１Ｂと、穂先ホルダー２に保持される大径の基端部１Ｃとで形成してある。
【００１７】
穂先ホルダー２について説明する。図１に示すように、穂先ホルダー２は、長尺状の筒状本体２Ａと、竿先側端を閉塞する先壁２Ｂとからなり、先壁２Ｂに糸取付軸部１Ａを挿通させる挿通孔２ｂが形成してあり、筒状本体２Ａの中間位置には穂先竿３への取付固定部２Ｃが設けてある。
【００１８】
図１（イ）（ロ）に示すように、取付固定部２Ｃは、筒状本体２Ａに内部空間に向けて凹入形成した環状凹入溝２ａと穂先竿３の竿先側部分に形成された竿軸線に向けて凹入する環状凹入溝３Ａとで構成してある。つまり、穂先竿３の環状凹入溝３Ａに対してカシメ処理により筒状本体２Ａの外周面を凹入形成して環状凹入溝２ａを形成しながら係合させて、筒状本体２Ａを穂先竿３に連結固定する。
【００１９】
図１に示すように、穂先ホルダー２に保持された釣り糸連結部材１の基端部１Ｃと穂先竿３の竿先端との間には、転動リング４が介在させてある。これによって、釣り糸連結部材１が自身の軸芯Ｘ回りで穂先ホルダー２に対して回転自在に支持されているが、釣り糸連結部材１が穂先竿３の竿先端と直接接触することを回避しながら、転動する構造としての転動リング４を釣り糸連結部材１と穂先竿３との間に介在させることによって、釣り糸連結部材１の回転をより円滑にするものである。
【００２０】
糸取付軸部１Ａを覆う被覆体５について説明する。図１（ロ）に示すように、被覆体５は、糸取付軸部１Ａに釣り糸ａを取り付けた状態において、その糸取付軸部１Ａの竿先側に位置する鍔部１Ｂと穂先ホルダー２の竿先側端との間に形成されている空間に入り込んで、糸取付軸部１Ａに取り付けられた釣り糸ａを覆い、釣り糸ａが鍔部１Ｂを乗り越えて外れることを阻止する。
【００２１】
被覆体５自体が釣り糸連結部材１とともに回転して、固定側の穂先ホルダー２に対して摩擦接触しないように、糸取付軸部１Ａに回転自在なワッシャ６が挿入してある。
【００２２】
被覆体５としては、図１及び図２に示すように、リング体５Ａであり、リング体５Ａの円周方向の一部分に切り欠き部５ａが設けてある。この切り欠き部５ａを形成することによって、糸取付軸部１Ａに取り付けられた釣り糸ａがリング体５Ａの外側に延出されることを許容している。
尚、切り欠き部５ａの円周方向に沿った幅としては、釣り糸ａの径より十分大きなものとすることとしてもよい。これによって、釣り糸ａも糸取付軸部１Ａ回りで相対的に回転でき、釣り糸ａの糸取付軸部１Ａに対する取付の自由度を確保できる。
リング体５Ａとしては、ＮＢＲ等のゴムや変形性の高い合成樹脂等が使用できる。
ここに、切り欠き部５ａを、糸取付軸部１Ａに取り付けた釣り糸ａを被覆体の外部に誘導する導出部と称する。
【００２３】
〔第２実施形態〕
被覆体５としては、筒状体５Ｂであってもよい。つまり、図３及び図４に示すように、穂先ホルダー２より大径の筒状に形成し、釣り糸ａを取り出すスリット部５ｂを設けてある。
【００２４】
図３及び図４に示すように、鍔部１Ｂの外周面には段差を形成した取付座１ｂが設けてあり、この取付座１ｂに筒状体５Ｂの先端部における内周面を外嵌固定するように構成する。このような構成によって、次ぎのような使用ができる。
【００２５】
つまり、図３（イ）に示すように、釣り糸ａを糸取付軸部１Ａに取付る際には、筒状体５Ｂを穂先ホルダー２の竿先端部分に位置させた状態で釣り糸ａを取り付けた後に、図３（ロ）に示すように、筒状体５Ｂを竿先側に向けて押し込み、筒状体５Ｂを鍔部１Ｂの取付座１ｂに嵌合固定する。
この場合に、スリット部５ｂより糸取付軸部１Ａに取付られた釣り糸ａを延出することができる。
【００２６】
尚、上記第２実施形態では、筒状体５Ｂを竿尻側から鍔部１Ｂの取付座１ｂに装着したが、図５に示すように、取付座１ｂを鍔部１Ｂの先側に形成し、筒状体５Ｂを竿先側から鍔部１Ｂに装着するように構成してもよい。
ここに、スリット部５ｂを、糸取付軸部１Ａに取り付けた釣り糸ａを被覆体の外部に誘導する導出部と称する。
【００２７】
〔別の実施形態〕
（１）  穂先ホルダー２については特に必要ではない。この場合には、直接糸取付部材１を穂先竿３に取り付けることとなる。
（２）  釣り糸ａを被覆体５の外部に誘導する導出部については、特に設けなくてもよい。
【図面の簡単な説明】
【００２８】
【図１】（イ）は、リング体を穂先ホルダーに待機させている状態を示す縦断側面図、（ロ）は、リング体を糸取付軸部に取り付けた糸に作用する状態を示す縦断側面図
【図２】リング体を示す斜視図
【図３】（イ）は、筒状体を穂先ホルダーに待機させている状態を示す縦断側面図、（ロ）は、筒状体を糸取付軸部に取り付けた糸に作用する状態を示す縦断側面図
【図４】筒状体を示す斜視図
【図５】筒状体の別実施構造を示す縦断側面図
【符号の説明】
【００２９】
１            釣り糸連結部材
１Ａ          糸取付軸部
１Ｂ          鍔部
１Ｃ          基端部
３            穂先竿
５            被覆体
５Ａ          リング体
５Ｂ          筒状体
５ａ          切り欠き部（導出部）
５ｂ          スリット部（導出部）
【図１】
2008178311.tif 000003
【図２】
2008178311.tif 000004
【図３】
2008178311.tif 000005
【図４】
2008178311.tif 000006
【図５】
2008178311.tif 000007